(57)【要約】【課題】            親骨や受骨との接触によって連続繊維が中棒からまくれ上がることを防止する。【解決手段】        本発明の一実施形態に係る折畳み傘は、中棒と、前記中棒にその軸方向に摺動可能に設けられた可動ろくろと、その一端が前記ろくろに枢支された受骨と、前記受骨に接続された親骨と、連続繊維を含まない素材から形成されたリングと、を備える。当該中棒は、第１の管体、及び、当該第１の管体の内部にその先端側から収容可能に設けられた第２の管体、を備える。当該第１の管体は、その軸方向に平行に延伸する連続繊維を含むプリプレグシートから形成される。当該リングは、前記第１の管体の外周面の先端に設けられる。【選択図】          図５
2018122048.tif 000002
【特許請求の範囲】
【請求項１】
軸方向に平行に延伸する連続繊維を含むプリプレグシートから形成された第１の管体、及び、当該第１の管体の内部にその先端側から収容可能に設けられた第２の管体、を有する中棒と、
前記中棒にその軸方向に摺動可能に設けられた可動ろくろと、
その一端が前記ろくろに枢支された受骨と、
前記受骨に接続された親骨と、
前記第１の管体の外周面の先端に設けられ、連続繊維を含まない素材から形成されたリングと、
を備えた折畳み傘。
【請求項２】
前記リングは、前記第２の管体の外周面よりも径方向外側に突出するように形成されている、請求項１に記載の折畳み傘。
【請求項３】
前記リングは、その先端面が前記第２の管体の先端面と面一になるように設けられている、請求項１又は請求項２に記載の折畳み傘。
【請求項４】
前記リングは、マトリクス樹脂材に短繊維が分散された短繊維強化樹脂材から成る、請求項１から請求項３のいずれか１項に記載のリング。
【請求項５】
前記リングは、金属材料から成る、請求項１から請求項３のいずれか１項に記載のリング。
【請求項６】
前記リングは、硬質樹脂材料から成る、請求項１から請求項３のいずれか１項に記載のリング。
【請求項７】
前記親骨は、金属材料から成る、請求項１から請求項６のいずれか１項に記載のリング。
【請求項８】
前記受骨は、金属材料から成る、請求項１から請求項７のいずれか１項に記載のリング。
【発明の詳細な説明】
【技術分野】
【０００１】
本発明は、折畳み傘に関する。
【背景技術】
【０００２】
公知の傘は、典型的には、細長い中棒と、当該中棒の下端に設けられたハンドルと、当該中棒の上部に設けられた上ろくろと、当該上ろくろから放射状に伸びる複数の親骨と、中棒にその軸方向に沿って摺動可能に設けられた下ろくろと、一端が当該下ろくろに収容されるとともに他端が前記複数の親骨の各々に接続された複数の受骨と、前記複数の親骨を覆う張り布と、を備える。
【０００３】
折畳み傘は、中棒が伸縮可能に構成されるとともに、親骨及び張り布が折畳み可能に構成される。具体的には、折畳み傘の中棒は、中空の大管と当該大管に収容可能に設けられた小管とを有しており、折畳み傘の閉傘時には、当該小管を当該大管内に収容するとともに、リブ、ストレッチャー、及び張り布を折り畳むことにより、当該折畳み傘は小さく折り畳まれる。他方、開傘時には、当該小管を当該大管から引き出すとともに、リブ、ストレッチャー、及び張り布を展開することにより、当該折畳み傘は開傘状態となる。
【０００４】
従来の折畳み傘は、例えば、特開２０１５−１０９９４２号公報、特開平１０−１７９２２３号公報、特開平０５−２２０００８号公報、特開平０４−２４２６０３号公報、及び登録実用新案第３０２１２４９号公報に開示されている。
【先行技術文献】
【特許文献】
【０００５】
【特許文献１】特開２０１５−１０９９４２号公報
【特許文献２】特開平１０−１７９２２３号公報
【特許文献３】特開平０５−２２０００８号公報
【特許文献４】特開平０４−２４２６０３号公報
【特許文献５】登録実用新案第３０２１２４９号公報
【発明の概要】
【発明が解決しようとする課題】
【０００６】
従来の折畳み傘の中棒は、軽量性及び堅牢性の観点から、アルミ材やチタン材から形成されることが多い。本願の発明者は、さらなる軽量化のために、連続繊維を含有するプリプレグ材から折畳み傘の中棒を形成することを検討している。
【０００７】
本願の発明者は、折畳み傘の中棒を連続繊維含有プリプレグ材から形成すると、アルミ製やチタン製の中棒では生じない問題が生じることを発見した。例えば、連続繊維含有プリプレグ材から形成された中棒の大管においては、親骨や受骨との接触により、その先端において当該プリプレグ材から連続繊維がまくれ上がりやすいという問題が発見された。連続繊維がまくれあがると、大管の先端から当該連続繊維の端部が露出する。この露出した連続繊維は、張り布と干渉し、当該張り布を傷つける原因となり得る。また、露出した連続繊維は、使用時に使用者の手に当たってしまい、使用者に不快感を与えるおそれがある。
【０００８】
中棒から連続繊維がまくれ上がるメカニズムは以下のとおりである。折畳み傘を折り畳む際には、親骨及び受骨を折り畳んだ後に、当該親骨及び受骨が内側に押さえ付けた状態で中棒の大管を先端側へ摺動させることで小管を当該大管に収容するので、当該親骨及び受骨が大管の先端に強く当て付きやすい。このとき、中棒の大管が連続繊維含有プリプレグ材で形成されていると、当該中棒の先端が親骨又は受骨と接触することにより、当該大管に含まれている連続繊維が当該プリプレグ材からまくれ上がりやすい。
【０００９】
連続繊維含有プリプレグシートから形成された中棒において、中棒から連続繊維がまくれあがらないようにすることが望まれる。
【００１０】
本発明の目的は、中棒を連続繊維含有プリプレグ材製としたことにより生じる問題を緩和又は解消することである。本発明の具体的な目的の一つは、連続繊維含有プリプレグシートから形成された管体において、中棒と親骨や受骨との接触によって当該中棒から連続繊維がまくれ上がらないようにすることである。本発明の上記以外の目的は、本明細書全体を参照することにより明らかとなる。
【課題を解決するための手段】
【００１１】
本発明の一実施形態に係る折畳み傘は、中棒と、前記中棒にその軸方向に摺動可能に設けられた可動ろくろと、その一端が前記ろくろに枢支された受骨と、前記受骨に接続された親骨と、連続繊維を含まない素材から形成されたリングと、を備える。当該中棒は、第１の管体、及び、当該第１の管体の内部にその先端側から収容可能に設けられた第２の管体、を備える。当該第１の管体は、その軸方向に平行に延伸する連続繊維を含むプリプレグシートから形成される。当該リングは、前記第１の管体の外周面の先端に設けられる。本発明の一実施形態において、当該リングは、マトリクス樹脂材に短繊維が分散された短繊維強化樹脂材、金属材料、又は硬質樹脂材料から成る。
【００１２】
当該実施形態によれば、第２の管体を第１の管体に収容するときに、当該第１の管体の外周面の先端に設けられたリングに親骨及び受骨が当接するので、第１の管体には、親骨及び受骨が接触しづらくなる。よって、第１の管体に第２の管体を収容するときに、当該第１の管体に含まれている連続繊維がまくれ上がることを防止できる。
【００１３】
本発明の一実施形態において、前記リングは、前記第２の管体の外周面よりも径方向外側に突出するように形成される。
【００１４】
当該実施形態によれば、第２の管体を第１の管体に収容するときに、第１の管体への親骨及び受骨の接触をより確実に防止できる。
【発明の効果】
【００１５】
本発明の実施形態によって、連続繊維を含むプリプレグシートから形成された管体において、親骨や受骨との接触によって当該連続繊維が中棒からまくれ上がることを防止できる。
【図面の簡単な説明】
【００１６】
【図１】本発明の一実施形態による折畳み傘を模式的に示す正面図である。図１に示された折畳み傘は、開傘状態にある。
【図２】本発明の一実施形態による折畳み傘を模式的に示す正面図である。図２に示された折畳み傘においては、親骨及び受骨が途中まで折り畳まれている。
【図３】本発明の一実施形態による折畳み傘を模式的に示す正面図である。図３に示された折畳み傘においては、親骨及び受骨が折り畳まれている。
【図４】本発明の一実施形態による折畳み傘を模式的に示す正面図である。図４に示された折畳み傘においては、中棒の小管が大管に収容されている。
【図５】本発明の一実施形態による折畳み傘の大管の先端付近を拡大して模式的に示す図である。
【図６】本発明の一実施形態に係る折畳み傘の中棒の管体の製造工程の一部を示す模式図である。
【図７】本発明の一実施形態による折畳み傘を模式的に示す正面図である。図７に示された折畳み傘においては、中棒の小管が大管に途中まで収容されている。
【図８】本発明の他の実施形態による折畳み傘の大管の先端付近を拡大して模式的に示す図である。
【００１７】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１８】
図１から図４を参照して、本発明の一実施形態による折畳み傘１について説明する。図１から図４は、本発明の一実施形態による折畳み傘１の模式的な正面図である。折畳み傘１は、図１においては開傘状態にあり、図２においては親骨及び受骨が途中まで折り畳まれており、図３においては親骨及び受骨がさらに折り畳まれており、図４においては中棒の小管が大管に収容されて閉傘状態にある。
【００１９】
図１の折畳み傘１は、ホック式の折畳み傘である。本発明は、ホック式の折畳み傘だけでなく、トップレス式又はそれ以外の任意の種類の折畳み傘に適用することができる。
【００２０】
図示のように、本発明の一実施形態による折畳み傘１は、中棒２と、上ろくろ３と、下ろくろ４と、複数の親骨５と、複数の受骨６と、ハンドル７と、下はじき８と、上はじき９と、を主に備える。下はじき８は、省略されてもよい。折畳み傘１がトップレス式の折畳み傘の場合には、当該折畳み傘１は、補助骨をさらに備えてもよい。補助骨は、例えば、上ろくろと受骨とを連結するように設けられる。
【００２１】
本発明の一実施形態において、中棒２は、第１の管体２ａと第２の管体２ｂとを備える。第１の管体２ａ及び第２の管体２ｂはいずれも中空の細長い管状に形成される。第２の管体２ｂは、その外形が第１の管体２ａの内径よりも小さくなるように形成されている。これにより、第２の管体２ｂは、第１の竿体２ａの内部にその先端側から収容される。中棒２は、３本以上の管体を備えてもよい。第１の管体２ａは、その径が第２の管体２ｂの径よりも大きくなるように構成されるので、この径の大小関係に着目して、本明細書においては、第１の管体２ａを大管と呼び、第２の管体２ｂを小管と呼ぶことがある。
【００２２】
本発明の一実施形態において、上ろくろ３は、当該中棒２の先端に設けられ、ハンドル７は、当該中棒２の根元側端に設けられる。図示の実施形態では、上ろくろ３は、中棒２のうち先端側にある第２の管体２ｂの先端に設けられ、ハンドル７は、中棒２のうち根元側にある第１の管体２ａの根元端に設けられている。
【００２３】
本発明の一実施形態において、下ろくろ４は、中空の円筒形状に形成される。下ろくろ４は、中棒２にその軸方向に沿って摺動可能に設けられる。下ろくろ４は、その内径が第１の管体２ａの外径及び第２の管体２ｂの外径のいずれよりも大きくなるように形成されている。
【００２４】
本発明の一実施形態において、複数の親骨５の各々は、上ろくろ３から放射状に延伸している元親骨５ａと、この元親骨５ａの先端に枢支されている先親骨５ｂと、受骨６が接続されるだぼ５ｃと、先親骨５ｂの先端に設けられている露先５ｄと、を有する。元親骨５ａは、上ろくろ３に、中棒２の軸方向に対して傾動可能に枢支される。図示を省略したが、当該複数の親骨５には張り布が取りつけられる。
【００２５】
本発明の一実施形態において、複数の受骨６は、その各々の一端が当該下ろくろ４に収容されるとともに他端が上記複数の親骨５のうちの対応するものに接続される。
【００２６】
本発明の一実施形態において、元親骨５ａ、先親骨５ｂ、及び受骨６は、アルミニウム、チタン、もしくはこれら以外の金属材料、またはこれらの金属材料とそれ以外の材料とを組み合わせた複合材料から形成される。
【００２７】
第２の管体２ｂの手元側端部には、軸方向に伸びる細い貫通孔（不図示）が形成されている。この貫通孔には下はじき８が設けられている。下はじき８は金属製の板材から成る。下はじき８は、第２の管体２ｂに対して、当該貫通孔から外方に突出するように常時付勢されている。
【００２８】
第２の管体２ｂにおいて、下はじきよりも先端よりの位置には、別の貫通孔（不図示）が形成されている。この貫通孔も、軸方向に伸びる細長い形状を有する。この貫通孔には、上はじき９が設けられている。上はじき８は金属製の板材から成る。上はじき９は、第２の管体２ｂに対して、当該貫通孔から外方に突出するように常時付勢されている。
【００２９】
下ろくろ４には、上はじき９が係合されるスリット（不図示）が設けられている。折畳み傘１を開くときに、上はじき９の位置まで下ろくろ４を摺動させると、下ろくろ４の当該スリットに上はじき９が係合する。このようにしてスリットと上はじき９とが係合することにより、折畳み傘１は、開いた状態（開傘状態）に保持される。
【００３０】
折畳み傘１を図１の姿勢（開傘状態）から折り畳む際には、下ろくろ４を手元側に摺動させることで上はじき９と下ろくろ４との係合を解除する。この下ろくろ４を手元側への移動させることにより、親骨５及び受骨６は、図２に示すように折り畳まれる。すなわち、下ろくろ４を下方（根元側）に移動させることにより、当該下ろくろ４に接続された受骨６及び当該受骨６に接続された元親骨５ａが中棒２の軸方向に傾く。このように、下ろくろ４を根元側へ移動させることにより、元親骨５ａ及び受骨６と中棒２の軸方向との間の角度が小さくなり、また、先親骨５ｂは図１の上方に折り曲げられる。次に、図３に示すように、下はじき８と係合する位置まで下ろくろ４をさらに手元側に摺動させる。これにより、元親骨５ａ、先親骨５ｂ、及び受骨６は、中棒２の第２の管体２ｂとほぼ平行になる姿勢まで折り畳まれる。次に、図３に示すように、ハンドル７と折り畳まれた元親骨５ａ、先親骨５ｂ、及び受骨６を掴んで、第１の管体２ａを先端方向に摺動させることにより、図４に示すように、当該第１の管体２ａは、第２の管体２ｂを内部に収容する位置まで移動する。これにより、折畳み傘１は、閉傘状態となる。閉傘状態にある折畳み傘１においては、第２の管体２ｂが第１の管体２ａに収容され、元親骨５ａ、先親骨５ｂ、及び受骨６が折り畳まれている。
【００３１】
他方、折畳み傘１を図４の姿勢（閉傘状体）から開く際には、図３に示されているように第２の管体２ｂから第１の管体２ａを引出し、次に、図２に示されているように下ろくろ４を中棒２に沿ってその先端方向へ摺動させ、次に、図１に示されているように下ろくろ４を上はじき９と係合する位置まで摺動させる。下ろくろ４を上方に移動させることにより、元親骨５ａ、先親骨５ｂ、及び受骨６が展開される。すなわち、下ろくろ４を上方（先端側）に移動させることにより、親骨５及び受骨６と中棒２の軸方向との間の角度が大きくなる。親骨５が展開されると、当該親骨５に取り付けられている張り布も展開される。上述したように、上はじき９の位置まで下ろくろ４を摺動させると、下ろくろ４の当該スリットに上はじき９が係合する。これにより、折畳み傘１は開傘状態に保持される。
【００３２】
次に、図５を参照して、本発明の一実施形態による折畳み傘１についてさらに説明する。図５は、折畳み傘１の第１の管体２ａの先端付近を拡大して模式的に示す図である。図示のように、第１の管体２ａは、管状の本体２０を有する。この本体２０の外周面の先端には、中棒２の中心軸の周りに延伸する溝２１が形成されている。溝２１は、底面２１ａと壁面２１ｂとにより画される。
【００３３】
本発明の一実施形態において、本体２０は、連続繊維をマトリクス樹脂に含浸させたプリプレグシート（本明細書において、「連続繊維含有プリプレグシート」ということがある。）から形成される。連続繊維を含むプリプレグシートは、シート形状を有している。本明細書において、連続繊維とは、プリプレグシートに関する技術分野における一般的な用法と同様に、シートの一端から他端まで連続的につながった繊維を意味する。連続繊維は、長繊維と呼ばれることもある。本発明に適用可能な連続繊維含有プリプレグシートは、連続繊維に加えて、プリプレグシートの一端と他端との間の間隔よりも短い繊維を有していてもよい。
【００３４】
本発明の一実施形態において、本体２０は、第１の管体２ａの中心軸Ａ（第１の管体２ｂの中心軸及び中棒２の中心軸とも一致する。）と平行な方向に引き揃えられた連続繊維を有する。中棒２には高い曲げ剛性が要求される。本体２０が中心軸Ａと平行な方向に引き揃えられた連続繊維を有することにより、高い曲げ剛性を有する第１の管体２ａが得られる。
【００３５】
図６を参照して、第１の竿体２ａの作成方法を説明する。まず、先端に向かって緩やかに縮径したマンドレル１００と、プリプレグシート１０２を準備する。マンドレル１００は、その全長にわたって同一径となるように構成されていてもよい。プリプレグシート１０２は、所定の方向に配向された連続繊維にマトリクス樹脂を含浸させたプリプレグシートである。当該連続繊維としては、例えば、炭素繊維、ガラス繊維、及びアラミド繊維等の様々な強化繊維を用いることができる。マトリクス樹脂としては、例えば、エポキシ、ピスマレイミド、ポリイミド及びフェノール等の熱硬化性樹脂を用いることができる。
【００３６】
本発明の一実施形態において、プリプレグシート１０２の連続繊維は、マンドレルの軸方向に対して平行な方向に配向されている。この場合、プリプレグシート１０２ａは、一方の端部１０２ａから他方の端部１０２ｂまで連続的につながった連続繊維を有する。
【００３７】
このプリプレグシート１０２を、マンドレル１００の周囲に巻回する。次に、マンドレル１００に巻回されたプリプレグシート１０２を焼成する。この焼成後に、マンドレル１００を脱芯することで、管状の焼成体が得られる。次に、この管状の焼成体の一方の端部（例えば、シートの端部１０２ｂに相当する端部）に、公知の切削工具を用いて、溝２１を形成する。この溝２１が形成された焼成体に、適宜、研磨処理や塗装処理を行うことにより、第１の管体２ａが得られる。
【００３８】
第２の管体２ｂも、第１の管体２ａと同様に、連続繊維を含有するプリプレグシートから形成されてもよい。
【００３９】
上ろくろ３、下ろくろ４、親骨５と、受骨６、ハンドル７、下はじき８、及び上はじき９は、公知の手法により形成することが可能なので、その製造方法については説明を省略する。
【００４０】
再び図５を参照して、溝２１に取りつけられるリング１０について説明する。本発明の一実施形態において、リング１０は、その内径が、第１の管体２ａのうち溝２１が形成されている部分の外径（底面２１ａの外径）とほぼ一致するように形成される。これにより、リング１０は、溝２１に嵌め込まれる。リング２１は、その後端面が溝２１の壁面２１ｂに当て付くように配される。リング１０は、例えば、接着剤により溝２１に接着される。
【００４１】
本発明の一実施形態において、リング１０は、その外径Ｈ１が、本体２０の外径Ｈ２よりも大きくなるように形成される。本発明の一実施形態において、リング１０は、その厚みＴ１が壁面２１ｂの高さＨ３よりも大きくなるように形成される。このように、リング１０は、溝２１に取りつけられたときに、その外周面が本体２０の外周面よりも第１の竿体２ａの径方向外側に突出している。
【００４２】
本発明の一実施形態において、リング１０は、その先端面１０ａが、本体２０の先端面２０ａと面一になるように形成される。
【００４３】
本発明の一実施形態によるリング１０は、連続繊維を含まない材料から形成される。リング１０の材料として、連続繊維を含まない樹脂材料又は金属材料を用いることができる。
【００４４】
本発明の一実施形態において、リング１０の材料として用いられる連続繊維を含まない樹脂材料は、短繊維をマトリクス樹脂に分散させて得られる短繊維強化樹脂である。この短繊維として、ＰＡＮ系もしくはピッチ系の炭素繊維又はガラス繊維を用いることができる。短繊維は、平均繊維径が３μｍ〜１５μｍ、平均繊維長さが０．５ｍｍ〜１０ｍｍのものを用いることができる。
【００４５】
本発明の一実施形態において、連続繊維を含まない樹脂材料は、ＡＢＳ、ナイロン、ポリアセタール（ＰＯＭ）、ポリカーボネイト（ＰＣ）、又はこれら以外の任意の公知の硬質樹脂である。
【００４６】
本発明の一実施形態において、リング１０の材料として用いられる金属材料は、例えば、アルミ、チタン、ＳＵＳ又は真鍮である。
【００４７】
図７には、中棒２の第２の管体２ｂが第１の管体２ａに途中まで収容された折畳み傘１を示している。上述したように、折畳み傘１を折り畳む過程で中棒２を縮める際には、元親骨５ａ、先親骨５ｂ、又は受骨６を掴んだ状態で、第１の竿体２ａを先端に向かって摺動させる。このように、元親骨５ａ、先親骨５ｂ、又は受骨６には、内側に向かって力が加えられているため、第１の竿体２ａが移動する軌道に、元親骨５ａ、先親骨５ｂ、又は受骨６が干渉しやすくなる。折畳み傘１がトップレス式の折畳み傘の場合には、補助っ骨も第１の竿体２ａが移動する軌道と干渉しやすい。
【００４８】
本発明の一実施形態による折畳み傘１においては、第１の竿体２ａの外周面の先端にリング１０が設けられているので、折畳み傘１を折り畳む過程で第１の竿体２ａを先端方向に摺動させるときに、リング１０が元親骨５ａ、先親骨５ｂ、又は受骨６に当接する。リング１０は、第１の竿体２ａの外周面の先端に設けられているので、元親骨５ａ、先親骨５ｂ、及び受骨６（並びに補助骨）は、リング１０に当て付くことになり、他方、第１の竿体２ａには当たりにくい。
【００４９】
本発明の一実施形態においては、リング１０の外周面が外径は第１の竿体２ａの外周面よりも径方向外側に突出しているため、元親骨５ａ、先親骨５ｂ、及び受骨６（並びに補助骨）がさらに第１の竿体２ａに当たりにくくなっている。
【００５０】
このように、上述した実施形態によれば、第１の管体２ａには、元親骨５ａ、先親骨５ｂ、及び受骨６（並びに補助骨）が当たりにくいので、折畳み傘１を折り畳む過程で第１の竿体２ａを先端方向に摺動させるときに、当該第１の管体２ａに含まれている連続繊維がまくれ上がることを防止できる。
【００５１】
次に、図８を参照して本発明の他の実施形態による折畳み傘について説明する。図８は、本発明の他の実施形態による折畳み傘の大管の先端付近を拡大して模式的に示す図である。図８の折畳み傘は、リング１０に代えてリング１１０を備えている点で、上述した折畳み傘１と異なっている。
【００５２】
このリング１１０は、円環形状に形成された本体１１０ａと、当該本体１１０ａの先端に設けられたフランジ１１０ｂと、を有する。フランジ１１０ｂは、本体２０の先端面２０ａの少なくとも一部を覆うように形成されている。このフランジ１１０ｂにより、本体２０の先端面２０ａを保護することができる。
【００５３】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００５４】
１  折畳み傘
２  中棒
２ａ  第１の管体
２ｂ  第２の管体
３  上ろくろ
４  下ろくろ
５  親骨
６  受骨
８  下はじき
９  上はじき
１０，１１０  リング
【図１】
2018122048.tif 000003
【図２】
2018122048.tif 000004
【図３】
2018122048.tif 000005
【図４】
2018122048.tif 000006
【図５】
2018122048.tif 000007
【図６】
2018122048.tif 000008
【図７】
2018122048.tif 000009
【図８】
2018122048.tif 000010